(57)【要約】【課題】  犬、猫、ウサギ、小鳥などの愛玩動物が死去した際の火葬に用いる愛玩動物用棺について、燃焼しても火葬炉のバーナを熱損傷することが少なく、火葬の際にそのまま火葬炉に収納でき且つ骨揚げが可能とする。【解決手段】  蓋板付きの細長い直方体形状を有するとともに、火葬炉に収納すると該火葬炉のバーナと対面する側板に切り欠き部または該切り欠き部に相当する通炎部を形成し、該切り欠き部または通炎部を閉鎖する補助板を着脱ないし開閉可能に取り付け、望ましくは金具を使用せずに嵌め込みによって組み立てた蓋板付きの細長い直方体形の箱型である。【選択図】図１
2005323785.tif 000002
【特許請求の範囲】
【請求項１】
火葬の際にそのまま火葬炉に収納でき且つ骨揚げが可能な木質製の愛玩動物用棺であって、蓋板付きの細長い直方体形状を有するとともに、火葬炉に収納すると該火葬炉のバーナと対面する側板に切り欠き部または該切り欠き部に相当する通炎部を形成し、該切り欠き部または通炎部を閉鎖する補助板を着脱ないし開閉可能に取り付ける愛玩動物用棺。
【請求項２】
火葬の際にそのまま火葬炉に収納でき且つ骨揚げが可能な総桐製の愛玩動物用棺であって、金具を使用せずに嵌め込みによって組み立てた蓋板付きの細長い直方体形の箱型であり、火葬炉に収納すると該火葬炉のバーナと対面する側板に切り欠き部または該切り欠き部に相当する通炎部を形成し、該切り欠き部または通炎部を閉鎖する補助板を着脱ないし開閉可能に取り付ける愛玩動物用棺。
【請求項３】
火葬炉のバーナと対面する側板と対向する側板にも切り欠き部または該切り欠き部に相当する通炎部を形成し、該切り欠き部または通炎部を閉鎖する補助板を着脱ないし開閉可能に取り付ける請求項１または２記載の愛玩動物用棺。
【請求項４】
蓋板の前方に蓋付きの覗き窓を穿孔するとともに、該蓋板の表面に彫刻を施こす請求項１または２記載の愛玩動物用棺。
【請求項５】
底板に空気流通用の透孔部を形成し、該底板上にペットシーツを敷設する請求項１または２記載の愛玩動物用棺。
【請求項６】
愛玩動物の遺体を納めた木質棺をそのまま火葬炉に収納し、該火葬炉のバーナを点火すると、バーナの炎は棺側板の切り欠き部を通過して棺内部に入り、焼却しにくい遺体を最初に焼きながら次第に棺側板を内側から外側へ燃焼することにより、遺体に応じてバーナの火力調整をしても全体の焼却時間が比較的短くなり、火葬後において火葬炉内で焼却遺骨と棺の灰分や炭化物とが混在しないことで遺骨の骨揚げが可能である棺焼却方法。
【請求項７】
燃焼時に空気が棺底板に設けた複数個の透孔部から火床を経て棺内部へ流入することにより、棺本体に蓋板を被せていても、棺内部の酸欠状態を防止して遺体の全体をほぼ均等に焼く請求項６記載の棺焼却方法。
【発明の詳細な説明】
【技術分野】
【０００１】
本発明は、犬、猫、ウサギ、小鳥などの愛玩動物が死去した際の火葬に用いる愛玩動物用棺に関する。
【背景技術】
【０００２】
犬や猫などの飼い主は、これらの愛玩動物を溺愛していることが多く、愛玩動物が死去した時に保健所に引き取ってもらい、ゴミとして焼却処分されることに心情的に耐えられないのが普通である。飼い主としては、その心情として愛玩動物の遺体を棺に納め、丁重に弔ってやりたいという強い願望を持っている。この種の願望に応じるため、現在では、ダンボール紙製を含む各種の愛玩動物用棺が販売されている。
【０００３】
愛玩動物用棺として、例えば特開平７−２１３５６５号では、箱型の棺をダンボール紙または厚紙を用いて形成している。特開平７−２８９１１０号は、ダンボール紙や板紙製の外箱に内箱を内嵌したほぼ蒲鉾形の愛玩動物用棺を開示し、頭側上部にカーテンを配することで揺り籠の中で眠っているような感じを与える。また、特開平１０−９８９６７号は、土中環境で生分解を受ける生分解性の合成樹脂製の棺を開示し、死亡した愛玩動物を埋葬する場合に使用する。
【特許文献１】特開平７−２１３５６５号公報
【特許文献２】特開平７−２８９１１０号公報
【特許文献３】特開平１０−９８９６７号公報
【特許文献４】特開２００２−３５０６０号公報
【発明の開示】
【発明が解決しようとする課題】
【０００４】
ダンボール紙などの紙製の棺は、外観を整えたうえにカーテンなどを配しても、荷物配送用のダンボール箱を直感させやすく、死亡した愛玩動物を荷物のように扱うことになって飼い主の心情に反することになる。ダンボール紙製の棺は、焼却すると有毒ガスが発生するため、愛玩動物を火葬する際に棺から遺体を取り出し、その遺体だけを火葬炉に収納して焼却しなければならず、棺本来の用途に使用できず、遺体搬送の役目を有するだけである。また、死亡した愛玩動物を一般の宅地に埋葬することは法律で禁じられており、生分解性の合成樹脂製の棺を埋葬することは自宅の庭で可能であるにすぎない。
【０００５】
愛玩動物用棺は、特開２００２−３５０６０号に例示するように、棺素材が紙や木材などの可燃性素材で構成されていても、車載式や固定式の火葬炉で焼却すると有毒ガスや悪臭が多量に発生しやすく、棺ごと火葬すると称しながら実際には愛玩動物の遺体だけを火葬炉で焼却することが多い。実際に従来の棺ごと火葬処理すると、図１１に示すように、狭い火葬炉１００の燃焼室１０８内に大きな箱型の棺１０２を密に入れることになり、火葬炉１００のバーナ１０４の炎が図１１の矢印のように棺側板１０６で反射され、その炎でバーナ自体を焼くことになるため、バーナ１０４の寿命が８０〜１００時間程度に低下して著しく不経済である。
【０００６】
棺素材が市販の紙や木材であると、従来の火葬炉は加熱温度が１２００℃前後であるため、棺を長時間燃焼しても完全に焼却することができず、不完全燃焼の固形物が残って廃棄物が多量に発生するうえに、不完全焼却の遺体を廃棄することになるので保健衛生の点で問題である。また、仮に燃焼しやすい棺素材を使用しても、焼却した棺素材の紙や木材から多量の灰分や炭化物が生じ、火葬遺体を汚すことになり、骨揚げを行うことが不可能になってしまう。
【０００７】
本発明は、従来の愛玩動物用棺に関する前記の問題点を改善するために提案されたものであり、火葬の際に火葬炉にそのまま収納でき、燃焼しても火葬炉のバーナを熱損傷することが少ない愛玩動物用棺を提供することを目的としている。本発明の他の目的は、従来の火葬炉において比較的短時間でほぼ完全な焼却が可能である愛玩動物用棺を提供することである。本発明の別の目的は、焼却した棺素材から灰分や炭化物が殆ど発生せず、火葬遺体を汚さないので骨揚げを行うことができる愛玩動物用棺を提供することである。
【課題を解決するための手段】
【０００８】
本発明に係る愛玩動物用棺は、火葬の際にそのまま火葬炉に収納でき且つ骨揚げが可能な木質製の愛玩動物用棺である。本発明の愛玩動物用棺は、蓋板付きの細長い直方体形状を有するとともに、火葬炉に収納すると該火葬炉のバーナと対面する側板に切り欠き部または該切り欠き部に相当する通炎部を形成する。この側板には、切り欠き部または通炎部を閉鎖する補助板を着脱ないし開閉可能に取り付けることを要する。
【０００９】
本発明の愛玩動物用棺として、金具を使用せずに嵌め込みによって組み立てた蓋板付きの細長い直方体形の箱型にしてもよく、火葬炉に収納すると該火葬炉のバーナと対面する側板に切り欠き部または該切り欠き部に相当する通炎部を形成する。本発明において、通炎部とは、火葬炉への収納直前または直後においてバーナの炎の通過が可能になる棺側板の構造を意味し、火葬炉への収納前において棺側板の一部又は全体を構成する場合を包含するものである。
【００１０】
本発明の愛玩動物用棺では、火葬炉のバーナと対面する側板と対向する側板にも切り欠き部または該切り欠き部に相当する通炎部を形成すると好ましく、この側板には、切り欠き部または通炎部を閉鎖する補助板を着脱ないし開閉可能に取り付ける。さらに好ましくは、蓋板の前方に蓋付きの覗き窓を穿孔するとともに、該蓋板の表面に彫刻を施こし、さらに底板に空気流通用の透孔部を形成し、該底板上にペットシーツを敷設する。
【００１１】
本発明に係る棺焼却方法では、愛玩動物の遺体を納めた木質棺をそのまま火葬炉に収納し、該火葬炉のバーナを点火すると、バーナの炎は棺側板の切り欠き部を通過して棺内部に入り、焼却しにくい遺体を最初に焼きながら次第に棺側板を内側から外側へ燃焼する。これにより、遺体に応じてバーナの火力調整をしても全体の焼却時間が比較的短くなり、火葬後において火葬炉内で焼却遺骨と棺の灰分や炭化物とが混在しないことで遺骨の骨揚げが可能である。好ましくは、燃焼時に空気が棺底板に設けた複数個の透孔部から火床を経て棺内部へ流入することにより、棺本体に蓋板を被せていても、棺内部の酸欠状態を防止して遺体の全体をほぼ均等に焼く。
【００１２】
本発明をさらに説明すると、本発明に係る愛玩動物用棺は、収納する火葬炉のバーナと対面する側板に切り欠き部または通炎部を形成する。好ましくは、短辺側の対向側板にもそれぞれ切り欠き部または通炎部を形成し、これによってバーナの炎の直進性がいっそう良くなる。この火葬炉が主バーナのほかに内側壁に補助バーナを備えるならば、補助バーナと対面する長辺側の側板にも切り欠き部または通炎部を形成することが望ましい。
【００１３】
本発明において、切り欠き部の平面形状は、図１のような半円形、図６のような矩形、図１０のような逆台形であり、この切り欠き部は側板に設けた円形や角形のような貫通孔などでもよい。また、この切り欠き部に相当する通炎部は、図７のように側板を取り外すことで形成されても、図９のように火葬炉への収納直前まで側板の一部を構成していてもよい。また、この通炎部として、側板の一部がごく薄くなるように切削し、バーナの炎で簡単に焼き抜きできるように構成することも可能である。
【００１４】
この切り欠き部を遮蔽する補助板は、図１のように該切り欠き部の平面形状と異なっていても、図８、図９や図１０のように切り欠き部または通炎部と同じ平面形状であっても、または図７のように取り外し可能な側板に相当する場合もある。この補助板は、図示のような単なる板状であっても、所定の切り欠き部を設けた側板に対して開閉可能な引き戸風に構成したり、引き抜き可能なストッパを取り付けた落とし戸風に構成してもよい。
【００１５】
この補助板は、通常、棺本体と同じ素材であるが、火葬炉への収納前に取り外して焼却しないので棺本体と異なる木材であっても、または金属、プラスチックシート、硬質紙などで代用することも可能である。したがって、この補助板として広めの硬質シート類を側板に剥離可能な接着剤で貼り付け、該シート類によって前記の切り欠き部を隠蔽してもよく、このシート類は火葬炉への収納前に側板から剥離すればよい。
【００１６】
本発明の愛玩動物用棺は、骨揚げが可能な木質製であり、好ましくは釘や金具を使用せずに桐材を嵌め込みによって組み立てる。棺本体における側板の嵌め込みは、実施例１に説明するようなダボ継ぎと小穴継ぎのほかに、接着剤とともに公知の組み継ぎ、あり組み継ぎ、相欠け継ぎ、追い入れ継ぎなどによって組み立てる。この組み立て時には、燃焼によって有毒ガスが発生するメラミン樹脂、ユリア樹脂、ウレタン系樹脂などの接着剤を使用せず、低融点ガラス系などの無機接着剤やセルロース系などの天然物接着剤を用いることが望ましい。
【００１７】
本発明の愛玩動物用棺において、愛玩動物の遺体をペットシーツに寝かせて棺本体に納め、蓋板を被せたまま火葬炉に収納し、その収納直前に補助板を棺本体から引き出しておく。この棺のサイズは、一般に、長さ１８０〜１３００ｍｍ、幅１５０〜７００ｍｍ、高さ８０〜３００ｍｍである。この棺を焼却する火葬炉は、固定式または車載式のいずれでもよく、車載式であれば軽自動車（図３参照）に搭載できるように該火葬炉を可能な限り軽量化させる。車載式の火葬炉は、現状では軽自動車に搭載すると、全長が約１４００ｍｍ、燃焼室および火床の全長が７００ｍｍである。このため、小型犬用程度の棺であっても、図４に示すように棺側板と火葬炉のバーナとが近接し、該バーナの位置は棺側板の切り欠き部と対向する。
【発明の効果】
【００１８】
本発明に係る愛玩動物用棺は、火葬炉への収納時にバーナと対面する側板に切り欠き部または該切り欠き部に相当する通炎部を有することにより、火葬炉にそのまま収納して燃焼しても、バーナの炎が側板で反射されることが殆どなく、火葬炉のバーナを熱損傷することが少なく、この火葬炉を長期間補修せずに使用できる。火葬炉に収納された愛玩動物用棺において、バーナの炎は棺側板の切り欠き部を通過して棺本体の内部に入り、棺内部直進することによって内部全体に素早く行き渡るので、熱効率が非常に高く、愛玩動物の遺体に応じてバーナの火力調整をしても全体の焼却時間が比較的短くなる。本発明の愛玩動物用棺は、従来の火葬炉においても比較的短時間でほぼ完全な焼却が可能である。
【００１９】
本発明の愛玩動物用棺は、釘や金具を使用しない木質製であり、特に総桐製であると、焼却した棺素材から灰分や炭化物が殆ど発生せず、火葬遺体を汚さないので骨揚げを行うことが容易になる。本発明の愛玩動物用棺は、火葬炉へ収納する前の通夜の時などには完全な箱型であり、しかも表面に彫刻を施こして高級感を付与した蓋板で被っているから、愛玩動物を丁重に弔いたいと考える飼い主の願望に十分に対応できるものである。また、底板上にペットシーツを敷設するため、該底板に空気流通用の透孔部を形成していても、遺体からの体液が棺本体から漏出することを防ぎ、通夜においてペットシーツの上に愛玩動物の遺体を寝かせ、愛玩動物の安らかな眠りを演出できる。
【実施例１】
【００２０】
次に、本発明を実施例に基づいて説明するが、本発明は実施例に限定されるものではない。図１は、愛玩動物用棺１の一例を示している。
【００２１】
愛玩動物用棺１において、細長い直方体形状である棺本体２は、４枚の側板３〜６および矩形の底板７（図２）とで構成し、さらに１枚の矩形の蓋板８を用いる。側板３〜６、底板７および蓋板８はすべて桐材である。図示しないけれども、通常、側板３〜６について、対向する２枚の側板４，６の左右上下に木製ダボを突設するとともに、残る２枚の側板３，５にダボ孔を穿設し、該ダボ孔に木製ダボを嵌入し且つ接合部分に接着剤を塗布して矩形枠を構成する。各側板３〜６の内面には、底辺より若干上方に水平の凹溝９（図２）を刻設しており、組み立て時に各凹溝に底板７を嵌め込んで箱型を形成する。
【００２２】
棺本体２の短辺側の側板３，５において、その上辺中央にほぼ半円形側面の切り欠き部１６を形成し、該切り欠き部の深さは棺本体２の高さは約３／４程度である。一方、側板４，６の内面において、側板３，５の近傍に細長い角柱状の案内棒１８，２０をそれぞれ垂直に固着し、各案内棒と側板３，５の内面との水平距離は補助板２２の厚みにほぼ等しい。案内棒１８，２０により、補助板２２を側板３，５の内面と接するように配置でき、該補助板は上方へ引き出し可能である。案内棒１８，２０および補助板２２はいずれも桐材であり、各案内棒は通常接着剤によって側板４，６の内面に固着する。
【００２３】
一方、蓋板８は、その前方に蓋付きの覗き窓１０を穿孔するとともに、該蓋板の表面にコンピュータ処理で彫刻１２を施こして高級感を付与することが望ましい。覗き窓１０には、その窓孔に着脱可能な上蓋部１４を嵌め込み、該上蓋部を取り外すと遺体を拝むことができる。
【００２４】
棺本体２において、底板７に空気流通用の透孔部２４（図４）を形成する。図４では、透孔部２４はほぼ等間隔に配列した細長い３個の貫通孔であり、該透孔部は底板全面に分散配置した丸孔や角穴または他の形状であってもよい。ペットシーツ２６（図２）を底板７上に敷設することにより、遺体からの体液が透孔部２４から漏出することを防ぐ。ペットシーツ２６は、吸水性のフェルト材や厚手の織布などであり、底板７の上に敷いて愛玩動物の遺体を寝かせ、愛玩動物の安らかな眠りを演出する。
【００２５】
愛玩動物の遺体は、図１に示す状態の棺本体２に納めて蓋板８を被せ、底板７の上にペットシーツ２６を敷設することで通夜に対応できる。遺体を納めた棺１は、蓋板８を被せたまま火葬炉１００（図４）の燃焼室１０８内に収納して火床１０９の上に載置し、その収納直前に補助板２２，２２を棺本体２から引き出しておく。火葬炉１００が図３に示すような車載式であると、軽自動車２８に搭載すると、燃焼室１０８および火床１０９の全長が７００ｍｍであり、該燃焼室は貫通路１１０を介して全長６５０ｍｍの二次燃焼室１１２と連通し、さらに煙突１１４へ続いている。このため、小型犬用程度の棺であっても、燃焼室１０８内において、図４に示すように棺側板３とバーナ１０４とが近接し、該バーナの位置は側板３の切り欠き部１６と対向する。
【００２６】
バーナ１０４を点火すると、該バーナの炎は棺側板３の切り欠き部１６を通過して棺本体２の内部に入り、図４の矢印方向へ直進することによって棺内部全体に素早く行き渡り、しかも反射炎でバーナ１０４を熱損傷することがなく、直進炎が他の側板５の切り欠き部１６から棺外部に出て棺全体を取り囲む。また、蓋板８を被せていても、火床１０９へ送り込まれた空気は底板７の透孔部２４を経由して棺内部へ流入して棺内部の酸欠状態を防ぎ、遺体の全体をほぼ均等に焼き、補助燃料なしでも完全燃焼することにより、不完全燃焼による油臭を発生することがない。バーナ１０４の直進炎によって、焼却しにくい遺体の頭部を最初に焼きながら次第に棺側板３〜６を内側から外側へ燃焼することにより、熱効率が非常に高く、遺体に応じてバーナの火力調整をしても全体の焼却時間が比較的短くなる。
【００２７】
愛玩動物の火葬時間はほぼ下記の通りである。
（１）小鳥、ネズミ類、ウサギ、猫、チワワなどの小型犬：約４０分間
バーナ１０４の直進炎で棺を吹き飛ばさないように火力調整をする。
（２）柴犬やテリアなどの中型犬：約１時間
（３）ゴールデン・レトリバーや秋田犬などの大型犬：約１時間２０分
（４）セントバーナードのような超大型犬：約２時間
バーナ１０４の直進炎が遺体の頭部で反射されないように火力調整をする。
【００２８】
棺１の焼却に際して、棺側板３〜６を内側から外側へ燃焼するので棺素材の灰分や炭化物が焼却遺骨と混らず、蓋板８の灰分もバーナ１０４の上昇炎によって吹き上げ、大部分が炉内の周辺に落下する。棺１の素材が桐材であると悪臭や炭化物の発生が少なくて焼却遺骨を汚さず、金具を使用していないので炉壁を傷めることも少ない。棺１は、火葬後において、火葬炉内の火床１０９上において、焼却遺骨と棺の灰分や炭化物とが混在しないことで遺骨の骨揚げが容易である。
【実施例２】
【００２９】
図５および図６に示す棺本体３０は、側板３２の高さが低く、他の側板３４，３６との高低差によって矩形平面の切り欠き部３８を形成し、該切り欠き部に補助板４０を着脱可能に配置する。矩形平面の補助板４０は、その底辺において側板３２の上辺と接触し、該側板３２の高さを加えると他の側板３４，３６の高さと一致する。補助板４０の両側端面に凹溝４２，４３を形成し、両凹溝が側板３４，３６の内面側端に設けた凸条４４，４６と嵌合することにより、該補助板は着脱可能である。棺本体３０は、実施例１の棺本体２に比べて切り欠き部が大きく、且つ補助板４０は比較的小さくなる。
【実施例３】
【００３０】
図７に示す棺本体４８では、短辺側の側板を取り外した後が通炎部に相当し、補助板５０は取り外し可能な側板に相当する。補助板５０の両側端面には、前記と同様に凹溝を形成し、両凹溝が側板５２，５４の内面側端且つ高さ全体に設けた凸条５５，５６と嵌合することにより、該補助板は着脱可能である。側板全体の切り欠き部では棺本体の強度が小さくなるので、棺本体４８の隅部に補強角片５８を接着してもよい。図７のような構成は、強度の点で短辺側の側板の一方だけにすることが望ましい。
【実施例４】
【００３１】
図８に示す棺本体６０は、実施例１と同様に、側板６２において、その上辺中央にほぼ半円形側面の切り欠き部６４を形成し、該切り欠き部の深さは棺本体２の高さの約３／４程度である。切り欠き部６４の内周壁にはＶ字溝６６を刻設する。一方、補助板６７は、切り欠き部６４と同じ半円形の平面形状を有し、その外周壁にＶ字溝６６と対応する横断面形状の凸条６８を形成する。棺本体６０の補助板６７は、側板６２を少し厚めにする必要があるけれども、実施例１の補助板２２に比べて目立たず、且つ比較的小さくなるので上方へ引き出しやすい。
【実施例５】
【００３２】
図９に示す棺本体７０では、側板７２の内面に深溝７４を刻設している。深溝７４の平面形状は、実施例１の切り欠き部１６と同様の半円形であっても、矩形（図６参照）または逆台形（図１０参照）などのいずれでもよい。棺本体７０では、棺を火葬炉へ収納する直前に深溝７４の内側の半円形部７６を手で取り去ればよく、側板内面または外面に深溝７４を刻設するだけであるので加工作業が比較的容易である。この実施例において、側板７２の深溝７４が通炎部に相当し、半円形部７６が補助板に相当する。
【実施例６】
【００３３】
図１０に示す棺本体７８は、側板８０において、その上辺中央にほぼ逆台形側面の切り欠き部８２を形成し、該切り欠き部の切削で生じた同じ平面形状の切り取り片８４を接着剤でそのまま元の場所に固着する。切り取り片８４が補助板に相当する。所望に応じて、切り欠き部８２と切り取り片８４を隠蔽する装飾シート８６を接着する。棺本体７８では、棺を火葬炉へ収納する直前に装飾シート８６を剥がし、切り取り片８４を手で取り去ればよく、特別な部材を必要としないので加工作業が比較的容易である。
【図面の簡単な説明】
【００３４】
【図１】本発明に係る愛玩動物用棺の分解斜視図である。
【図２】図１のＡ−Ａ線に沿って切断した棺本体の断面図である。
【図３】愛玩動物用棺を車載火葬炉に収納した状態を示す概略部分断面図である。
【図４】火葬炉のバーナで愛玩動物用棺を燃焼する状態を示す断面図である。
【図５】本発明の変形例を示す棺本体の部分平面図である。
【図６】図５のＢ−Ｂ線に沿って切断した断面図である。
【図７】本発明の第２変形例を示す部分斜視図である。
【図８】本発明の第３変形例を示す棺本体の部分平面図である。
【図９】本発明の第４変形例を示す棺本体の側面図である。
【図１０】本発明の第５変形例を示す棺本体の側面図である。
【図１１】火葬炉のバーナで従来の棺を燃焼する状態を示す図４と同様の部分断面図である。
【符号の説明】
【００３５】
１    愛玩動物用棺
２    棺本体
３、４，５，６    側板
７    底板
８    蓋板
１６    切り欠き部
１８，２０    案内棒
２２    補助板
２４    底板７の透孔部
２６    ペットシーツ
【図１】
2005323785.tif 000003
【図２】
2005323785.tif 000004
【図３】
2005323785.tif 000005
【図４】
2005323785.tif 000006
【図５】
2005323785.tif 000007
【図６】
2005323785.tif 000008
【図７】
2005323785.tif 000009
【図８】
2005323785.tif 000010
【図９】
2005323785.tif 000011
【図１０】
2005323785.tif 000012
【図１１】
2005323785.tif 000013